(57)【要約】    【課題】  大きな力を必要としないため、高齢者でも簡単迅速にしかも安全に操作でき、しかも、外観を損ねることのない玄関収納装置を提供する。    【解決手段】  玄関に設置され、履き物を収容しうる下駄箱本体と、該下駄箱本体前部の使用位置で水平に支持され、かつ履き物の脱ぎ履き時に腰を降ろすことのできる腰掛け板とを具え、前記下駄箱本体は、前記腰掛け板の使用位置と同高さの腰掛け板収納部が設けられ、前記腰掛け板は、前記使用位置と前記腰掛け板収納部に収納される収納位置との間を水平なスライド移動を可能とする水平移動支持手段により下駄箱本体に装着され、かつ前記使用位置における腰掛け板を支持する脚部を具えたことを特徴とする。【選択図】  図１
2006101990.tif 000002
【特許請求の範囲】
【請求項１】
玄関に設置され、履き物を収容しうる下駄箱本体と、該下駄箱本体前部の使用位置で水平に支持され、かつ履き物の脱ぎ履き時に腰を降ろすことのできる腰掛け板とを具え、
前記下駄箱本体は、前記腰掛け板の使用位置と同高さの腰掛け板収納部が設けられ、
前記腰掛け板は、前記使用位置と前記腰掛け板収納部に収納される収納位置との間を水平なスライド移動を可能とする水平移動支持手段により下駄箱本体に装着され、かつ前記使用位置における腰掛け板を支持する脚部を具えたことを特徴とする玄関収納装置。
【請求項２】
前記腰掛け板は、少なくとも一側部で立ち上がる手摺を設けたことを特徴とする請求項１記載の玄関収納装置。
【請求項３】
前記手摺は、逆Ｕ字状の手摺部材を有し、
前記手摺部材は、その双方の端部が腰掛け板に軸着され、使用時に腰掛け板上に立ち上がるとともに収納時に腰掛け板の上面に折畳まれることを特徴とする請求項１又は２記載の玄関収納装置。
【請求項４】
前記脚部は、上端が腰掛け板の下面に軸着され、収納時には腰掛け板の下面に沿って折畳まれることを特徴とする請求項１〜３のいずれかに記載の玄関収納装置。
【発明の詳細な説明】
【技術分野】
【０００１】
本発明は、履き物の脱ぎ履きの際、腰掛けることのできる腰掛け板を具えた玄関収納装置に関する。
【背景技術】
【０００２】
玄関で履き物を脱ぎ履きする際は、中腰状態の不自然な姿勢が強いられるため、例えば高齢者など足腰が弱く体が不自由な人にとっては、苦痛であるとともに転倒などの危険を伴う。また玄関の上がり框に腰掛けて脱ぎ履きすることもできるが、特に近年の住宅建築では、上がり框の高さを２０〜３０ｃｍ程度に低く形成しているため、腰掛ける際、及び立ち上がる際に膝、腰に負担が掛かかるという問題がある。
【０００３】
そこで、図９に示すように、楽な姿勢でしかも安全に履き物を脱ぎ履きするため、玄関土間ａに上がり框ｂと隣接して腰掛椅子ｄを設ける提案がなされている（例えば、特許文献１参照）。しかしながら、人が頻繁に出入する玄関に腰掛椅子ｄを固定すると、スペースが狭くなるため、人の出入と、鞄、荷物類の持ち運びの障害となり、特に夜遅く消灯後に帰宅した場合に腰掛椅子ｄに躓いて転倒し、或いは向こう脛を強打するなどの危険があった。
【０００４】
これらの不具合を解消するため、本出願人は特許文献２において、図１０に示すように、下駄箱本体ｅの収納部ｆを開閉する扉体ｇを、収納部ｆを閉止する垂直な起立状態ｈと、収納部ｆを開放しその上面で腰掛け可能とする水平状態ｉとの間で起倒可能に枢着した玄関収納装置を提案している。そしてこの玄関収納装置では、前記水平状態ｉの扉体ｇを腰掛けとして利用でき、かつ不要時の扉体ｇは扉として起立状態ｈにあるため、玄関スペースを広く使える。
【０００５】
【特許文献１】特開２００３−１１６７０２号公報
【特許文献２】特開２００２−４５２４６号公報
【発明の開示】
【発明が解決しようとする課題】
【０００６】
しかしながら、前記玄関収納装置では、起立状態ｈにある扉体ｇを水平状態ｉに引き降ろしして使用し、かつ腰掛けとして使用後に起立状態ｈに持ち上げる操作が必要であり、特に非力な高齢者にとっては相当負担となる操作であることが判明した。さらには操作を誤ると、扉体ｇがその自重により水平状態ｉ側に倒れることも考えられ、必ずしも安全であるとは言えない。しかも扉体ｇが水平状態ｉにおいては、下駄箱本体ｅの収納部ｆ内部が露呈するため、見栄えを損ねる可能性もある。
【０００７】
本発明は、腰掛け板を前記使用位置と前記腰掛け板収納部に収納される収納位置との間を水平なスライド移動を可能とする水平移動支持手段により下駄箱本体に装着することを基本とし、大きな力を必要としないため、高齢者でも簡単迅速にしかも安全に腰掛け板を操作でき、しかも、外観を損ねることのない玄関収納装置の提供を課題としている。
【課題を解決するための手段】
【０００８】
前記目的を達成するために、請求項１に係る発明は、玄関に設置され、履き物を収容しうる下駄箱本体と、該下駄箱本体前部の使用位置で水平に支持され、かつ履き物の脱ぎ履き時に腰を降ろすことのできる腰掛け板とを具え、前記下駄箱本体は、前記腰掛け板の使用位置と同高さの腰掛け板収納部が設けられ、前記腰掛け板は、前記使用位置と前記腰掛け板収納部に収納される収納位置との間を水平なスライド移動を可能とする水平移動支持手段により下駄箱本体に装着され、かつ前記使用位置における腰掛け板を支持する脚部を具えたことを特徴とする。
【０００９】
また請求項２に係る発明は、前記腰掛け板は、少なくとも一側部で立ち上がる手摺を設けたことを特徴とし、請求項３に係る発明では、前記手摺は、逆Ｕ字状の手摺部材を有し、前記手摺部材は、その双方の端部が腰掛け板に軸着され、使用時に腰掛け板上に立ち上がるとともに収納時に腰掛け板の上面に折畳まれることを特徴とする。
【００１０】
また請求項４に係る発明は、前記脚部は、上端が腰掛け板の下面に軸着され、収納時には腰掛け板の下面に沿って折畳まれることを特徴とする請求項１〜３のいずれかに記載の玄関収納装置である。
【発明の効果】
【００１１】
請求項１に係る発明は、腰掛け板が、使用位置と腰掛け板収納部に収納される収納位置との間を水平支持手段により下駄箱本体に装着されるため、高齢者、身体に不自由を抱える障害者においても、腰掛け板を小さな力で迅速に引き出して使用でき、履き物の脱ぎ履き動作を楽に行なうことができる。また腰掛け板は水平に移動するため重力で勝手に倒れるなどの危険動作が起こることがなく、安全性が高い。しかも腰掛け板は、収納部の扉と別個に形成され、履き物の出し入れが必要な時のみ扉を開けて使用するため、収納部内を余計に露呈することがなく見栄えに優れる。
【００１２】
また請求項２に係る発明のように、腰掛け板に手摺を設けるとより一層安全かつ容易に履き物の脱ぎ履きを行えるとともに、腰掛け板へ座り、又は立ち上る動作を、楽で安全に行なえ、また請求項３に係る発明のような構成とすることにより、前記手摺をコンパクトに折畳んで収納できるとともに、折畳んだ手摺の上に腰掛けることもできるため手摺を必要に応じ選択して使用できる。
【００１３】
また請求項４に係る発明のように、収納時に脚部を腰掛け板の下面に沿って折畳む構成とすることにより、コンパクトに収納できるとともにその操作を簡易とし、しかも収納時に脚部が露呈することがないため見栄えを高めうる。
【発明を実施するための最良の形態】
【００１４】
以下、本発明の実施の一形態を、図示例とともに説明する。図１に示すように、玄関収納装置１は、玄関２に設置された下駄箱本体３と、この下駄箱本体３に水平移動支持手段８により装着された腰掛け板５とを有し、この腰掛け板５は脚部９を具える。
【００１５】
前記下駄箱本体３は、図１、２に示すように、内部に収納部３Ａが形成されて矩形箱状をなし、上下に並ぶ棚板２１を有し靴、草履、スリッパなどの履き物を収容する。また下駄箱本体３には、独立した箱状の家具として構成されるタイプと、玄関２の壁２２に固定され壁面収納として構成されるタイプとがあり、本形態は、図１に示すように、玄関土間から天井に伸びるクローゼット２３とセットした玄関収納ユニットとして構成されるものが例示される。また本形態の下駄箱本体３は、前記収納部３Ａを開閉する左右の扉３ＢＬ、３ＢＲを具え、クローゼット２３と上がり框２４との間に配置され、玄関２の土間２５に載置し、かつ前記壁２２に固定される。
【００１６】
前記下駄箱本体３の内部に、図２、３に示すように、前記収納部３Ａを左右の収納部３ＡＬ、３ＡＲに区分する縦仕切り板２６を設ける。さらに左の側板２７Ｌと前記縦仕切り板２６との間で、腰掛け高さと略同高さ、すなわち土間２５から３０〜６０ｃｍ程度の高さに、５〜１５ｃｍ程度の間隔を隔てた上下の横仕切り板２８Ｕ、２８Ｄを架け渡す。これにより上の横仕切り板２８Ｕよりも上の領域で左の収納部３ＡＬが形成され、前記左の扉３ＢＬはこの左の収納部３ＡＬを開閉する。また前記上下の横仕切り板２８Ｕ、２８Ｄと、左の側板２７Ｌと、前記縦仕切り板２６とで囲まれた領域により腰掛け高さと略同高さの腰掛け板収納部６が形成される。なお腰掛け板収納部６内には、左の側板２７Ｌ、縦仕切り板２６に断面縦長矩形状の受け棒材３０、３０が固着され、この受け棒材３０、３０は前記上の横仕切り板２８Ｕの両端を支持する。
【００１７】
前記下駄箱本体３を構成する側板２７、縦仕切り板２６、上下の横仕切り板２８Ｕ、２８Ｄ、及び天板２９は、合板、ＭＤＦ( 中密度繊維板) 、パーティクルボード、集成材などの木質ボードに、ポリエチレン、ポリプロピレン、エチレン酢ビ樹脂（ＥＶＡ）などのオレフィン系樹脂、メラミン樹脂、ポリエステル樹脂その他の樹脂シートを貼着して形成される。或いは矩形状をなす外周枠の内側に縦又は横の補強枠を架け渡したパネルフレームの両面に、外縁部が前記外周枠の外周部と略整一に揃う化粧合板その他の表面材を貼着して形成されたパネルを用いることもできる。
【００１８】
前記腰掛け板５は、図３、６に示すように、略矩形板状をなし、前端部に垂下する化粧框５Ａを設けるとともに下面両側部に一対の補強棒材５Ｂ、５Ｂが固着される。また前記化粧框５Ａの中央下部に、操作時に手掛かりとして使用するため凹部５Ａａが形成される。
【００１９】
腰掛け板５は、合板、ＭＤＦ( 中密度繊維板) 、パーティクルボード、集成材などの木質ボード材を用い、杉、松、ラワン、単板積層材、集成材を棒状に切断した化粧框５Ａ、補強棒材５Ｂを接着、釘、ビスなどで固着して形成される。そして上面及び化粧框５Ａの前面は、前記と同様の樹脂シートを貼着し、或いは塗装により仕上される。この他木粉と樹脂ペレットとを用いた人工木材の押出し成形により一体に形成することもできる。
【００２０】
前記水平移動支持手段８は、本形態では、図３、４に示すように、ガイドレール８Ｇと、このガイドレール８Ｇに対して長手方向に移動可能に係合するスライドレール８Ｓとを含み構成されたものを例示している。
【００２１】
前記ガイドレール８Ｇは、断面コ字状をなし、その前端（本明細書は、スライドレール８Ｓが引き出される方向を前とする）にガイド車輪３１を具える。またガイドレール８Ｇには、上フランジ３３の前部分を連続的に切り欠いた出入部３４を設けるとともに、下フランジ３５の後部、および前寄り部において部分的に切り欠いた後の凹部３６Ｂ、および前の凹部３６Ｆを設ける。そして一対のガイドレール８Ｇ、８Ｇが腰掛け板収納部６両側の前記受け棒材３０、３０に、ビスその他の固着具３２により固着される。
【００２２】
前記スライドレール８Ｓは、断面コ字状をなすとともに、前記ガイドレール８Ｇと互いの凹んだ側を向合って配され、かつその後端にスライド車輪３７を具える。また前記スライドレール８Ｓには、前記スライド車輪３７の前側にストッパー３９が取付けられる。該ストッパー３９は、図４、５に示すように、ブロック状のストッパー本体３９Ａと、その下部に垂下された球面状の突部３９Ｂとを含み構成される。
【００２３】
前記ストッパー本体３９Ａは、前後に並ぶ縦方向の長孔３９Ｃ、３９Ｃを有する。スライドレール８Ｓのウェブに固着されるとともに先端に抜止め用の鍔を有する軸体４１、４１を前記長孔３９Ｃ、３９Ｃに挿通することにより、ストッパー３９はスライドレール８Ｓに上下移動可能に取付けられる。さらにストッパー３９は、ストッパー本体３９Ａの前後に配されたガイド体４２、４２の間に挟まれることにより上下移動がスムースに案内され、しかもスライドレール８Ｓの上フランジ４３との間に押しバネ４４を介装し、このバネ力によりストッパー３９が下方へ付勢される。なお前記ガイド体４２、４２の下端には、内向きに係止片４２ａ、４２ａが突設され、該係止片４２ａ、４２ａにストッパー本体３９Ａが係止することにより前記バネ力により下方へ付勢されたストッパー３９の移動下端位置が規制され、自由状態における前記突部３９Ｂの突出量が一定に維持される。
【００２４】
前記一対のスライドレール８Ｓ、８Ｓは、前記補強棒材５Ｂ、５Ｂの外側面に固着され、前記ガイドレール８Ｇ、８Ｇと各々係合する。これにより前部では、図３に示すようにガイドレール８Ｇのガイド車輪３１がスライドレール８Ｓの内部に挿入され、また後部では、図４、５に示すようにスライドレール８Ｓのスライド車輪３７がガイドレール８Ｇの内部に挿入される。そのため腰掛け板５に負荷する荷重は、スライドレール８Ｓからガイド車輪３１およびスライド車輪３７を介して、ガイドレール８Ｇにより確実に支持されるとともに腰掛け板５の前後方向の移動が、ガイド車輪３１、スライド車輪３７の回転によりスムースに支持される。
【００２５】
図２に示すように、腰掛け板５が腰掛け板収納部６内部に収納された収納位置７にあるとき、図５に示すように、バネ力で付勢されたストッパー３９の突部３９Ｂがガイドレール８Ｇの後の凹部３６Ｂ内に挿入し、これにより腰掛け板５は、収納位置７で固定され、振動その他で勝手に前方に移動することがない。また図６に示すように、腰掛け板５が腰掛け板収納部６から前方に引き出された使用位置４にあるとき、前記突部３９Ｂが前の凹部３６Ｆ内に挿入し、これにより腰掛け板５は、使用位置４で固定されるため勝手に後方に移動することがないため安全に使用しうる。なお、収納位置７、使用位置４の腰掛け板５を前後にスライドさせる時には、図５に鎖線で示すように、前記スライド操作の力により突部３９Ｂがバネ力に抗して上方に押上げられ、前後移動が可能となる。
【００２６】
なお、前記腰掛け板５に取付けたスライドレール８Ｓ、８Ｓを両側のガイドレール８Ｇ、８Ｇに係合する際には、スライドレール８Ｓのスライド車輪３７及びストッパー３９を、前記出入部３４からガイドレール８Ｇの上下のフランジ間に挿入して操作する。逆にガイドレール８Ｇ、８Ｇとスライドレール８Ｓ、８Ｓとを分離する時には、スライド車輪３７及びストッパー３９を、前記出入部３４から外に取出して分離することができる。
【００２７】
前記脚部９は、図６に示すように、腰掛け板５の前部に垂下形成され、前記水平移動支持手段８により前方に引き出された使用位置４の腰掛け板５の前部を支持する。この脚部９は、本形態では、略Ｕ字状の脚部材９Ａを具え、図８（Ａ）に示すように、該脚部材９Ａの上端部が腰掛け板５前端下部に固着したブラケット４５に軸着される。さらに、脚部材９Ａと腰掛け板５との間に、中間で折畳み可能な支持材４６を斜めに架け渡し、使用時に脚部材９Ａが倒れることを防止している。これにより図８（Ｂ）に示すように、収納時に脚部９を腰掛け板５の下面に沿って折畳むことができ、腰掛け板５とともに腰掛け板収納部６内部に収納しうるため、収納操作を簡単に行なうことができ、しかも収納状態において脚部９が外部に露呈しないため外観を高めることができる。
【００２８】
このようにガイドレール８Ｇ、スライドレール８Ｓからなる水平移動支持手段８に支持された腰掛け板５は、図２に示すように、腰掛け板収納部６に収納された収納位置７と、図６に示すように、収納位置７から前方に引き出すとともに前記脚部９により支持される下駄箱本体３の前部における使用位置４との間を水平方向にスライド移動可能に形成される。そのため大きな力を必要とすることなく、迅速に出し入れでき、高齢者、動作が不自由な障害者においても容易に操作でき、使用位置４における腰掛け板５に腰を降ろして履き物の脱ぎ履きを楽に行なうことができる。そして前記腰掛け板５は、水平方向にスライドして出し入れされるため、自重により倒れることがなく安全性に優れる。しかも、腰掛け板５は扉と分離して形成されるため、前記収納位置７、使用位置４の何れにおいても、扉が閉止している限り収納部３Ａ内部が必要以上に露呈することがないため、見栄えが向上する。
【００２９】
また、本形態の腰掛け板５は、図６に示すように、その側部に立ち上がる手摺１０を具えるものが例示される。前記手摺１０は、逆Ｕ字状をなし、その端部が腰掛け板５上面に形成された、前記手摺１０と同形でＵ字状の収納溝４７の端部にピン４８により軸着される。
【００３０】
前記収納溝４７の端部底面には、図７に示すように、手摺１０端部を前記ピン４８に向けて押圧する板バネ４９が設けられる。また、図７（Ａ）に示される、ピン４８の中心から手摺１０の端面１０Ａまでの長さＬ１と、図７（Ｃ）に示される、ピン４８の中心から収納溝４７内に水平に収納された姿勢の手摺１０の下側面１０Ｂまでの長さＬ２とは、図７（Ｂ）に示される、ピン４８の中心から手摺１０の端面１０Ａと下側面１０Ｂとの交差部１０Ｃまでの長さＬ３よりも小に形成される。そのため、図７（Ａ）に示すように、立ち上がった手摺１０は、板バネ４９が前記端面１０Ａを押圧する力により直立状態を維持でき、使用者は手摺としてこれを把持することにより、安全、かつ楽に履き物の脱ぎ履きを行うことができる。さらには、腰掛け板５への座り動作、立ち上がり動作も、容易に行えしかも転倒などの危険を減じうる。また腰掛け板５を前記腰掛け板収納部６内に収納する際には、図７（Ｃ）に示すように、腰掛け板５の上面の前記収納溝４７内に折畳んでコンパクトに収納することができる。また腰掛け板５の使用状況により手摺が不要な場合には、手摺１０を腰掛け板５の上面に折畳んだ状態でその上に腰掛けることもでき、従って手摺を必要に応じて選択使用することができる。
【００３１】
なお、折畳んだ手摺１０を立ち上げる場合、および逆に手摺１０を腰掛け板５の上面に折畳む場合は、図７（Ｂ）に示すように、手摺１０を板バネ４９のバネ力に抗してピン４８を中心に上げ下げすることにより容易に操作できる。また前記手摺１０は、腰掛け板５の両側部に一対形成することもできる。
【図面の簡単な説明】
【００３２】
【図１】本発明の一実施の形態を例示する斜視図である。
【図２】その縦断面図である。
【図３】その異なる方向の要部断面図である。
【図４】要部分解斜視図である。
【図５】要部拡大図である。
【図６】腰掛け板５が使用位置４にある状態を示す斜視図である。
【図７】手摺１０の要部拡大図であり、（Ａ）は起立状態、（Ｂ）は動作状態、（Ｃ）は折畳んだ状態を各々示す。
【図８】脚部９の要部拡大図であり、（Ａ）は腰掛け板５から垂下した使用状態、（Ｂ）は腰掛け板５の下面に沿って折畳まれた状態を示す。
【図９】従来例を例示する斜視図である。
【図１０】異なる従来例を例示する断面図である。
【符号の説明】
【００３３】
１      玄関収納装置
２      玄関
３      下駄箱本体
４      使用位置
５      腰掛け板
６      腰掛け板収納部
７      収納位置
８      水平移動支持手段
９      脚部
１０      手摺
１０Ａ    手摺部材
【図１】
2006101990.tif 000003
【図２】
2006101990.tif 000004
【図３】
2006101990.tif 000005
【図４】
2006101990.tif 000006
【図５】
2006101990.tif 000007
【図６】
2006101990.tif 000008
【図７】
2006101990.tif 000009
【図８】
2006101990.tif 000010
【図９】
2006101990.tif 000011
【図１０】
2006101990.tif 000012